(57)【要約】    【課題】    ミシン目活用の切断が容易なロ−ルペーパーのスタンドホルダーを提供する。    【解決手段】    ホルダー台座Ａの中央に直立する主軸支柱の構造を、外側への曲加工を施した竹板Ｄの集束体とする事により、上部に露出する主軸上部のグリップＣを下方へ軽く押し下げることで主軸部が外側へ湾曲し、ロールペーパーＦの内孔を内側より圧接し、ロールペーパーＦの回転を制御することにより、既存のミシン目を利用したペーパー切断を容易にする機能に加え、ロールペーパーＦの外周面にペーパー押え棒Ｅを圧接させ、ペーパー端部の解け阻止機能として備えたロ−ルペーパーのスタンドホルダー。    【選択図】  図１
0003138640.tif 000002
【実用新案登録請求の範囲】
【請求項１】
木製台座Ａ中央の木製主軸基盤Ｂより直立し、上部グリップＣを支える主軸部の構成において、表皮を外側とする竹板を、両端部より中間部Ｊへかけて裏面を薄くして、所定の弾性を有する外曲加工を施した上下両端を、主軸基盤ＢとグリップＣとに固定された竹板Ｄの集束体としたことを特徴とするペーパースタンドホルダー。
【請求項２】
台座Ａの所定位置の差込孔Ｇに固定され、竹ヒゴ（Ｅ４）の曲加工による弾性支柱からなるペーパー押え棒Ｅにおいて、直立回転自在のロールペーパーＦ外周面に並列する接触部に、常時圧接体の回転木玉Ｅ２を備えた事を特徴とする請求項１に記載するペーパースタンドホルダー。
【考案の詳細な説明】
【技術分野】
【０００１】
本考案は、ペーパーホルダーの木工技術に関する。
【背景技術】
【０００２】
生活様式の変化により、布巾の代用としてのペーパー使用が多くなっており、特にペーパーウェスとして使用されるロール状キッチンペーパーは、その利便性から今後益々多岐多様におよんで浸透すると思われる。
その多目的需要に伴い、材質を問わず様々なロールペーパー用ホルダーが商品化されており、特にスタンド仕様のホルダーには、インテリア要素が強く、単に立て棒に差し込んだシンプルなスタイルの物からデザイン重視の輸入品や手作り風の素朴な雰囲気を誇張したもの等、品質及び機能共に多種多様であるが、半面、生活実用具としての実利機能については未整理で後追い状態が実状といえる。
【０００３】
これらのロールペーパーのスタンドホルダーについて、実用具としての習慣性から生じる利便実用性を主体に検証した場合（個人のインテリア嗜好が先行した単なるパフォーマンスニーズのものを除き）、その用途と対応機能性には幾つかの生活常備品としての不可欠な利便課題が提起される。
【考案の開示】
【考案が解決しようとする課題】
【０００４】
スタンド仕様のロールペーパーホルダーを使用諸条件に対応する生活実用具として検
証する場合、次の利便機能とその効果が不可欠課題として求められる。
（１）所定の長さを引き出し、既設のミシン目ラインで切り取る際、ロールペーパーの回転を制御する操作及び機能を必要とする。
（２）切り取ったロールペーパー端部の解けを阻止するために、ロールペーパーの外周面に接するカイド機能を必要とする。
（３）ロールペーパーの引き出し操作を任意にコントロルするために、ロールの回転に軽微な負荷を掛ける機能（常時圧接）を必要とする。
（４）素材構成について、ロールペーパー使用上の環境衛生確保の観点から、空気中の埃（有害ダスト）を吸着しない自然素材による部材構成が望ましい。
【０００５】
上述するそれぞれの実利課題を解消するため、木と竹とを主要構造素材として加工組み立てを施し、その解消機能と利便性を備えると共に、自然素材による静電気防止効果に加えて生活空間への潤いを与え、エコロジカル生活具として環境保全啓蒙への付加価値が加味されたロールペーパーのスタンドホルダーを提供する。
【課題を解決するための手段】
【０００６】
ロールペーパーの筒（巻き芯内孔）に直立するホルダー主軸を差し込み、回転自在に使用するロールペーパーのスタンドホルダーにおいて、木製の台座Ａに木製の主軸基盤Ｂを取り付け、所定の弾性加工を施した複数の竹版Ｄを集束して主軸部となし、主軸基盤Ｂに固定して直立させ、その主軸上部に木製のグリップＣを取り付けてロールペーパーＦのスタンドホルダーとする。図１参照
【０００７】
この場合の主軸基盤Ｂの上段部と竹板Ｄ中間部Ｊ及びグリップＣの最大径は、ロールペーパーＦの内孔より小さく、主軸基盤Ｂ下段のスペースプレートＩの径をロールペーパーＦの内孔より大きく設定することで、ロールペーパーFの回転がスムーズとなり、台座ＡとロールペーパーＦが解離回転することで清潔使用が可能となる。図２参照
【０００８】
請求項１記載のペーパースタンドホルダーにおいて、主軸基盤Ｂに取り付ける竹板Ｄは表皮を外向きとして熱処理による脱脂外曲加工を施し、中間部Ｊにかけてその裏面を切削し両端部より薄くして弾性加工を施すことで、上部のグリップＣを下方向へ押圧することにより、その竹板Ｄの集束主軸の中間部Ｊは外側へ湾曲し、ロールペーパーＦの内孔を内側より圧接することで生じる接触抵抗によって、ロールペーパーFの回転に負荷が掛かり回転を制御し停止に至らせる。
尚、グリップＣによる下方への押圧を解除すると、湾曲した主軸部はその素材特性により元の形状へ戻りロールペーパーＦへの負荷が解除される。図２参照
【０００９】
請求項２記載のペーパー端部の解け阻止機能において、台座Ａの所定の位置にペーパー押え棒Ｅの固定差込孔Ｇを所定の孔径をもって設け、ペーパー押え棒Ｅの主軸となる竹ヒゴＥ４は熱処理による脱脂曲加工を施され、根元部より上部先端部に向かって前細りの緩やかなテーパー状とし、所定の弾力と曲線形状をなし、その中間部に止め木玉Ｅ３を固定し、更に回転自在の回転木玉Ｅ２を貫通させ常時回転圧接体とし、最上部に飾り木玉Ｅ１を固定してなる。
このペーパー押え棒Ｅの回転木玉Ｅ２の常時回転圧接によって、ロールペーパーＦ端部の解け阻止機能が発揮される。図１、３参照
【００１０】
上述するペーパー押え棒Ｅの弾性曲げ加工によるロールペーパーＦへの軽微な常時回転圧接は、ペーパー引き出しの任意操作時に適度な負荷を与えてロールペーパーFへの回転制御をなすると共に、回転するロールペーパーＦへの接触が回転木玉Ｅ２の回転接触に限定されることにより、使用時に発生するロールペーパーＦの磨耗屑が少なく、ベースプレートIによる台座ＡとロールペーパーＦとの解離機能に加えて、実使用上の環境衛生条件として良好な効果が生まれる。
【考案の効果】
【００１１】
本考案のペーパースタンドホルダーは、濡れ手の時や指先が不自由な場合でも、手の甲などで上部の摘み部Ｂを軽く押えるだけで、主軸の弾性によりロール回転芯の内孔に負荷が生じてロールペーパーＦの回転が制御され、ミシン目活用のペーパー切断が容易に出来ることから、一般家庭のみならず保育や介護等の現場においても、実用常備具としての利便性とユニバーサル効果に加え、素材特性により静電気の発生を抑えて空気中の埃（有害ダスト）を吸着しない特性を有し、室内環境衛生上の安全性に寄与する。
【考案を実施するための最良の形態】
【００１２】
本考案のペーパースタンドホルダーは、主要素材に自然素材（木材及び竹材）を使用し、それらの素材は全てにおいて十分なる乾燥安定材であり、その管理選択が製品を長期使用するにあたって、経年変化を軽減させ望ましい結果を生むことになる。
試作過程における参考事例として、使用素材の木材は樹種を問わず気乾含水率１５％を基準とし、竹材使用の場合は育成年数５〜６年経過の真竹及び孟宗竹の伐採期を９月〜１０月としたものを、加熱による脱脂曲げ加工とする。
又、台座Ａの底面の数ヶ所に弾性素材からなるベースクッションＨを付設することにより、底面の浮陸を解消し滑り止めの効果を発揮し、使用時の安定操作を促す。
【実施例】
【００１３】
本考案のペーパースタンドホルダーは、各種の試作体によって実証と改良を重ね問題点を克服することで、製作に関連する課題は既に解消済みであり、製造上の主要基準条件は整理されている。
【産業上の利用可能性】
【００１４】
木工産業の振興、介護や育児現場でのユニバーサル貢献、環境保全への啓蒙と環境教材、木製インテリア、地域興しのイベントグッズ等の利用が期待される。
【図面の簡単な説明】
【００１５】
【図１】ペーパースタンドホルダー全体図
【図２】回転制御機能の関連図
【図３】ペーパー押え棒構造図
【符号の説明】
【００１６】
Ａ  台座
Ｂ  主軸基盤
Ｃ  グリップ
Ｄ  竹板
Ｅ  ペーパー押え棒
Ｆ  ロールペーパー
Ｇ  差込孔
Ｊ  竹板中間部
Ｈ  ベースクッション
Ｉ  スペースプレート
Ｅ１  飾り木玉
Ｅ２  回転木玉
Ｅ３  止め木玉
Ｅ４  竹ヒゴ
【図１】
0003138640.tif 000003
【図２】
0003138640.tif 000004
【図３】
0003138640.tif 000005